(57)【要約】      （修正有）【課題】リジェクト貨幣をリジェクト原因別に効率よく分類する。【解決手段】貨幣処理装置１を、貨幣を受け入れる受入部１１と、受入部の貨幣を１枚ずつ搬送する搬送部７０と、搬送部によって搬送される貨幣を識別する識別部５５と、識別部による識別結果に基づいて貨幣を種類別に集積するための複数の集積部６０ａ〜６０ｈと、集積部に集積しない種類の貨幣をリジェクト貨幣として集積するためのリジェクト部６５ａ、６５ｂと、通常モードの貨幣処理では、リジェクト貨幣をリジェクト部に集積しながら受入部に受けた貨幣を複数の集積部に種類別に分類して、リジェクト貨幣分類モードの貨幣処理では、受入部に受けたリジェクト貨幣を複数の集積部にリジェクト原因別に分類して集積する制御部とによって構成する。【選択図】図２
2017016203.tif 000002
【特許請求の範囲】
【請求項１】
貨幣を受け入れる受入部と、
前記受入部の貨幣を１枚ずつ搬送する搬送部と、
前記搬送部によって搬送される貨幣を識別する識別部と、
前記識別部による識別結果に基づいて貨幣を種類別に集積するための複数の集積部と、
前記集積部に集積しない種類の貨幣をリジェクト貨幣として集積するためのリジェクト部と、
通常モードの貨幣処理では、リジェクト貨幣を前記リジェクト部に集積しながら前記受入部に受けた貨幣を前記複数の集積部に種類別に分類して、リジェクト貨幣分類モードの貨幣処理では、前記受入部に受けたリジェクト貨幣を前記複数の集積部にリジェクト原因別に分類して集積する制御部と
を備えることを特徴とする貨幣処理装置。
【請求項２】
前記制御部は、前記リジェクト貨幣分類モードでリジェクト貨幣を分類する際に、１枚のリジェクト貨幣が複数のリジェクト原因を有する場合には、リジェクト原因の優先度を決定するために予め準備されている設定に基づいて、前記リジェクト貨幣を集積する集積部を決定することを特徴とする請求項１に記載の貨幣処理装置。
【請求項３】
前記制御部は、前記リジェクト貨幣分類モードでは、前記通常モードで前記リジェクト部に集積されたリジェクト貨幣を前記集積部にリジェクト原因別に分類することを特徴とする請求項１又は２に記載の貨幣処理装置。
【請求項４】
前記制御部は、前記リジェクト貨幣分類モードでは、前記通常モードで前記集積部に集積される種類の貨幣を前記リジェクト部に集積することを特徴とする請求項３に記載の貨幣処理装置。
【請求項５】
前記制御部は、前記通常モードで各集積部に集積する貨幣の種類を設定した集積設定と、前記リジェクト貨幣分類モードで各集積部に集積するリジェクト貨幣のリジェクト原因を設定した集積設定とを、動作モードに応じて切り替えることを特徴とする請求項１〜４のいずれか１項に記載の貨幣処理装置。
【請求項６】
前記制御部は、前記通常モードで発生したリジェクト原因に基づいて、前記リジェクト貨幣分類モードの集積設定を変更することを特徴とする請求項１〜５のいずれか１項に記載の貨幣処理装置。
【請求項７】
前記制御部は、前記リジェクト貨幣分類モードの集積設定では、前記通常モードで発生したリジェクト原因を各集積部に割り当てることを特徴とする請求項６に記載の貨幣処理装置。
【請求項８】
前記制御部は、前記リジェクト貨幣分類モードでは、前記通常モードに比べて前記搬送部による貨幣の搬送速度を遅くすることを特徴とする請求項１〜７のいずれか１項に記載の貨幣処理装置。
【請求項９】
前記制御部は、前記リジェクト貨幣分類モードでは、リジェクト貨幣を、傷んだ貨幣である損貨と、偽の貨幣である偽貨と、前記通常モードで前記集積部に集積しない種類の貨幣である指定外貨とを含んだ種類に分類することを特徴とする請求項１〜８のいずれか１項に記載の貨幣処理装置。
【請求項１０】
前記制御部は、前記リジェクト貨幣分類モードでリジェクト紙幣を処理する際に、前記損貨をさらに、折れのある紙幣である折れ券と、テープが貼り付けられた紙幣であるテープ券と、汚れた紙幣である汚損券とに分類することを特徴とする請求項９に記載の貨幣処理装置。
【請求項１１】
前記識別部は、複数種類のセンサを有し、
前記制御部は、前記リジェクト貨幣分類モードでは、リジェクト原因をセンサ別に分けて該リジェクト原因別にリジェクト貨幣を分類する
ことを特徴とする請求項１〜１０のいずれか１項に記載の貨幣処理装置。
【発明の詳細な説明】
【技術分野】
【０００１】
この発明は、貨幣処理を行ってリジェクトされたリジェクト貨幣を処理する貨幣処理装置に関する。
【背景技術】
【０００２】
従来、金融機関では、貨幣を識別計数する貨幣処理装置が利用されている。例えば、紙幣を識別計数し、複数の集積部に種類別に分類して集積する紙幣処理装置では、識別できない紙幣等はリジェクト紙幣としてリジェクト部に集積される。リジェクト紙幣の中には、紙幣を識別できない場合の他にも、偽券である、損券である等、様々な原因でリジェクトされたものがあるが、リジェクトされた紙幣を目視確認してもリジェクト原因を認識することは困難な場合がある。このため、例えば、特許文献１及び２には、２つの出金口を利用して、リジェクト原因別に紙幣を分けて集積する紙幣処理装置が開示されている。この他、例えば、紙幣処理装置にリジェクト紙幣を集積するためのリジェクト部を２つ設ければ、リジェクト紙幣を２種類に分けて各リジェクト部に集積することができる。
【先行技術文献】
【特許文献】
【０００３】
【特許文献１】特開２０１１−１９８１４５号公報
【特許文献２】特開２０１３−１１７８９９号公報
【発明の概要】
【発明が解決しようとする課題】
【０００４】
しかしながら、上記従来技術では、多数の異なるリジェクト原因によってリジェクトされた紙幣がある場合に、これらの紙幣をリジェクト原因別に分けることができず、出金口やリジェクト部で、異なるリジェクト原因によってリジェクトされた紙幣が１箇所に混在した状態となる場合があった。
【０００５】
例えば、紙幣処理で種類別に分類する紙幣が４種類であれば４つの集積部を有する紙幣処理装置を利用すればよいが、リジェクト紙幣については、実際に紙幣処理を行ってみなければ、リジェクトされる紙幣があるかどうかも分からず、リジェクト紙幣が発生した場合に何種類のリジェクト原因に分類されるのかも分からない。このため、装置に多数のリジェクト部を設けても装置が大型化するばかりで無駄になる可能性がある。
【０００６】
本発明は、上述した従来技術による問題点を解消するためになされたもので、リジェクト貨幣をリジェクト原因別に効率よく分類することができる貨幣処理装置を提供することを目的とする。
【課題を解決するための手段】
【０００７】
上述した課題を解決し、目的を達成するため、本発明は、貨幣処理装置であって、貨幣を受け入れる受入部と、前記受入部の貨幣を１枚ずつ搬送する搬送部と、前記搬送部によって搬送される貨幣を識別する識別部と、前記識別部による識別結果に基づいて貨幣を種類別に集積するための複数の集積部と、前記集積部に集積しない種類の貨幣をリジェクト貨幣として集積するためのリジェクト部と、通常モードの貨幣処理では、リジェクト貨幣を前記リジェクト部に集積しながら前記受入部に受けた貨幣を前記複数の集積部に種類別に分類して、リジェクト貨幣分類モードの貨幣処理では、前記受入部に受けたリジェクト貨幣を前記複数の集積部にリジェクト原因別に分類して集積する制御部とを備えることを特徴とする。
【０００８】
また、本発明は、上記発明において、前記制御部は、前記リジェクト貨幣分類モードでリジェクト貨幣を分類する際に、１枚のリジェクト貨幣が複数のリジェクト原因を有する場合には、リジェクト原因の優先度を決定するために予め準備されている設定に基づいて、前記リジェクト貨幣を集積する集積部を決定することを特徴とする。
【０００９】
また、本発明は、上記発明において、前記制御部は、前記リジェクト貨幣分類モードでは、前記通常モードで前記リジェクト部に集積されたリジェクト貨幣を前記集積部にリジェクト原因別に分類することを特徴とする。
【００１０】
また、本発明は、上記発明において、前記制御部は、前記リジェクト貨幣分類モードでは、前記通常モードで前記集積部に集積される種類の貨幣を前記リジェクト部に集積することを特徴とする。
【００１１】
また、本発明は、上記発明において、前記制御部は、前記通常モードで各集積部に集積する貨幣の種類を設定した集積設定と、前記リジェクト貨幣分類モードで各集積部に集積するリジェクト貨幣のリジェクト原因を設定した集積設定とを、動作モードに応じて切り替えることを特徴とする。
【００１２】
また、本発明は、上記発明において、前記制御部は、前記通常モードで発生したリジェクト原因に基づいて、前記リジェクト貨幣分類モードの集積設定を変更することを特徴とする。
【００１３】
また、本発明は、上記発明において、前記制御部は、前記リジェクト貨幣分類モードの集積設定では、前記通常モードで発生したリジェクト原因を各集積部に割り当てることを特徴とする。
【００１４】
また、本発明は、上記発明において、前記制御部は、前記リジェクト貨幣分類モードでは、前記通常モードに比べて前記搬送部による貨幣の搬送速度を遅くすることを特徴とする。
【００１５】
また、本発明は、上記発明において、前記制御部は、前記リジェクト貨幣分類モードでは、リジェクト貨幣を、傷んだ貨幣である損貨と、偽の貨幣である偽貨と、前記通常モードで前記集積部に集積しない種類の貨幣である指定外貨とを含んだ種類に分類することを特徴とする。
【００１６】
また、本発明は、上記発明において、前記制御部は、前記リジェクト貨幣分類モードでリジェクト紙幣を処理する際に、前記損貨をさらに、折れのある紙幣である折れ券と、テープが貼り付けられた紙幣であるテープ券と、汚れた紙幣である汚損券とに分類することを特徴とする。
【００１７】
また、本発明は、上記発明において、前記識別部は、複数種類のセンサを有し、前記制御部は、前記リジェクト貨幣分類モードでは、リジェクト原因をセンサ別に分けて該リジェクト原因別にリジェクト貨幣を分類することを特徴とする。
【発明の効果】
【００１８】
本発明によれば、従来の貨幣処理を実行する通常モードに加えて、リジェクト貨幣を処理対象とするリジェクト貨幣分類モードで貨幣処理を実行することができる。通常モードで貨幣を種類別に分類して集積するための複数の集積部を、リジェクト貨幣分類モードではリジェクト貨幣をリジェクト原因別に分類して集積するために利用することができるので、従来装置を利用しながら、様々な原因によりリジェクトされるリジェクト貨幣をリジェクト原因別に効率よく分類することができる。
【００１９】
また、本発明によれば、リジェクト貨幣分類モードでリジェクト貨幣を分類する際に、１枚の貨幣が複数のリジェクト原因によってリジェクトされている場合には、予めリジェクト原因の優先度を設定しておいて、この優先度に基づいて集積先を決定することができる。
【００２０】
また、本発明によれば、通常モードからリジェクト貨幣分類モードへ動作モードを切り替えるだけで、多数の集積部のそれぞれに集積する貨幣を設定した集積設定が、通常モード用の設定からリジェクト貨幣用の設定に自動的に切り替えられるので、リジェクト貨幣をリジェクト原因別に分類する処理を容易に利用することができる。
【００２１】
また、本発明によれば、通常モードで発生したリジェクト原因に基づいて、リジェクト貨幣分類モードでの各集積部へのリジェクト原因の割り当てを変更することができる。例えば、通常モードで貨幣処理を行って発生したリジェクト原因だけを集積部に割り当てることができるので集積部を有効に利用することができる。
【００２２】
また、本発明によれば、貨幣の識別に利用する複数種類のセンサ別にリジェクト原因を分けて、リジェクト貨幣を分類することができる。具体的には、例えば、紫外線センサによる計測結果に基づいてリジェクトされた貨幣、赤外線センサによる計測結果に基づいてリジェクトされた貨幣等、リジェクト貨幣をセンサ別に分類することができる。これにより、例えば、１つのセンサに異常があって、これを原因とするリジェクト貨幣が続く場合には、センサの異常を認識して対応することができる。また、リジェクト貨幣を、最終的に偽の貨幣であると判断した場合に、偽と判断した理由等を記載した偽券レポート等の書面作成が必要になることがあるが、この場合に、どのセンサによる計測結果が異常を示したかが分かるので書面作成が容易になる。
【図面の簡単な説明】
【００２３】
【図１】図１は、本実施形態に係る貨幣処理装置の外観を示す斜視図である。
【図２】図２は、貨幣処理装置の内部構成概略を示す断面模式図である。
【図３】図３は、貨幣処理装置の機能構成概略を示すブロック図である。
【図４】図４は、貨幣処理装置で行われる処理の流れを示すフローチャートである。
【図５】図５は、通常モードとリジェクト紙幣分類モードとの間で切り替える集積設定の例を示す図である。
【図６】図６は、動的設定を利用するリジェクト紙幣分類モードについて説明するための図である。
【図７】図７は、携帯端末で通常モードの集積設定を行う際に表示される画面例を示す図である。
【図８】図８は、集積設定を行う際に表示される一覧表の画面例を示す図である。
【図９】図９は、携帯端末でリジェクト紙幣分類モードの集積設定を行う際に表示される画面例を示す図である。
【発明を実施するための形態】
【００２４】
以下に、添付図面を参照して、本発明に係る貨幣処理装置について詳細に説明する。まず、本実施形態に係る貨幣処理装置の概要を説明すると、貨幣処理装置は、通常モードとリジェクト貨幣分類モードの２つの動作モードで貨幣処理を行うことができる。通常モードでは、受入部の貨幣を１枚ずつ搬送し、各貨幣について通貨、金種、新旧、方向、真偽、正損等を識別する処理を行って、識別できない貨幣や偽の貨幣等をリジェクト貨幣としてリジェクト部に集積しながら、集積部に割り当てられた種類の貨幣を複数の集積部に種類別に分類して集積する。集積部に集積された貨幣を抜き取って空にした後、リジェクト部に集積されたリジェクト貨幣を受入部に載置して、リジェクト貨幣分類モードで貨幣処理を実行すると、通常モードではリジェクト貨幣以外の貨幣を分類するために利用した集積部をリジェクト貨幣の分類に利用して、リジェクト貨幣を複数の集積部にリジェクト原因別に分類して集積することができる。貨幣処理装置は、紙幣や硬貨を処理対象とすることができるが、以下では、紙幣を処理対象とする場合を例に説明する。
【００２５】
図１は、本実施形態に係る貨幣処理装置１の外観を示す斜視図である。また、図２は、貨幣処理装置１の内部構成概略を示す断面模式図である。貨幣処理装置１は、複数の紙幣を受ける受入部１１と、受入部１１に受けた複数の紙幣を１枚ずつ装置内へ取り込む取込部１０とを有する。装置前面には、設定変更や処理の指示等を行う際に各種情報を入力するための操作部５１と、設定情報や処理結果等を確認する際に各種情報が表示される表示部５２とが設けられている。
【００２６】
図２に示すように、貨幣処理装置１の内部には、取込部１０で装置内に取り込んだ紙幣を搬送路に沿って搬送する搬送部７０と、搬送部７０によって搬送される紙幣を識別計数する識別部５５とが設けられている。
【００２７】
識別部５５は、搬送部７０によって搬送される紙幣の通貨、金種、新旧、方向、真偽、正損等を識別して計数する機能を有する。方向とは、紙幣の面（表裏）及び紙幣の向き（天地）を示す情報である。真偽とは、紙幣が真の紙幣（真券）であるか、偽の紙幣（偽券）であるかを示す情報である。正損とは、予め定められた所定条件に基づいて紙幣の傷み具合を判定した情報で、例えば市場で再利用する紙幣を正券、市場での再利用に適さない紙幣を損券とする。また、この他、正券を、ＡＴＭ等の装置で利用するＡＴＭフィット券と、金融機関の窓口等でテラーが利用するテラーフィット券というように、複数種類に分類する場合もある。なお、通貨及び金種については、例えば、日本の一万円券というように、通貨を含めて金種と呼ぶ場合もある。
【００２８】
識別部５５は、赤外線センサ、紫外線センサ、磁気センサ、イメージセンサ、厚みセンサ等、複数種類のセンサを有する。これらのセンサを利用して、各紙幣の特徴を認識するための計測を行う。例えば、紙幣の短手の長さ、長手の長さ、厚み等のサイズ計測、紙幣に赤外光や紫外光等の所定波長の光を照射した際の特性計測、磁気特性の計測、可視光、赤外光、紫外光等を照射して撮像した紙幣の全面画像又は部分領域画像の取得、取得した画像を利用した特徴分析等が行われる。識別部５５で得られた情報に基づいて、紙幣をリジェクト紙幣としてリジェクトするか否かが決定される。
【００２９】
また、識別部５５は、各紙幣に印刷されている記番号等の文字を文字認識する機能を有する。貨幣処理装置１では、例えば紙幣に印刷されている記番号の桁数が決まっている場合に、識別部５５によって文字認識した紙幣記番号の桁数が異なる桁数であれば、この紙幣には異常があるとしてリジェクトするように設定することができる。また、例えば左端から２桁には英字が印刷されるというように、記番号の所定桁に印刷されている文字の種類が決まっている場合に、識別部５５によって文字認識した紙幣記番号の所定桁が異なる種類の文字であれば、この紙幣には異常があるとしてリジェクトするように設定することができる。また、偽券の記番号を登録したブラックリストを予め準備しておいて、識別部５５によって文字認識した紙幣記番号がブラックリストに登録されている記番号と一致した場合に、この紙幣は偽券である又は偽券である可能性が高いとしてリジェクトするように設定することができる。
【００３０】
貨幣処理装置１には、２つのリジェクト部６５（６５ａ、６５ｂ）が設けられている。識別部５５による識別結果に基づいて、集積部６０に集積する種類として指定されていない種類の紙幣である指定外券、明らかに偽の紙幣である偽券、偽券の疑いがあるが真偽を確定できないサスペクト券等がリジェクトされるが、これらのリジェクト紙幣を、第１リジェクト部６５ａ及び第２リジェクト部６５ｂにリジェクト原因別に分けて集積することができる。
【００３１】
貨幣処理装置１には８つの集積部６０（６０ａ〜６０ｈ）が設けられている。識別部５５による識別結果に基づいて、指定外券等のリジェクト紙幣がリジェクト部６５に集積される一方で、集積部６０に集積するよう指定されている種類の紙幣である指定券は、各集積部６０ａ〜６０ｈに種類別に分類して集積される。各集積部６０ａ〜６０ｈに集積する紙幣の種類は、紙幣処理を開始する前に予め設定しておくこともできるし、紙幣処理を開始する際には設定せずに、紙幣処理の開始後に、識別部５５によって識別された紙幣の種類に応じて設定することもできる。
【００３２】
図１に示すように、集積部６０は、前面に開口を有しており、貨幣処理装置１を利用する利用者は、集積部６０に集積された紙幣を開口から抜き取ることができる。また、装置前面には、第１集積部６０ａ〜第８集積部６０ｈのそれぞれに対応して、集積紙幣に関する情報を表示するための個別表示部６２ａ〜６２ｈが設けられており、各集積部に集積されている紙幣の種類を認識できるようになっている。また、図２に示すように、第１集積部６０ａ〜第８集積部６０ｈには、内部に集積された紙幣の有無を検知するためのセンサ７３が設けられている。
【００３３】
図２に示すように、搬送部７０には、紙幣を分岐するための複数の分岐部材７１が設けられている。また、搬送部７０には、紙幣を検知するための複数のセンサ７２が設けられている。識別部５５が紙幣を識別した後、識別結果に基づいて、制御部５０が集積部６０及びリジェクト部６５の中から、紙幣を搬送して集積する集積先を決定する。そして、制御部５０が、センサ７２によって紙幣の搬送位置を検出しながら分岐部材７１による分岐動作を制御することにより、決定した集積先へ各紙幣を搬送して集積する。
【００３４】
また、各集積部６０には、集積部内の紙幣の有無を検知するセンサ７３が設けられており、集積部６０からの紙幣の抜き取りを検知できるようになっている。なお、図２には示していないが、受入部１１及びリジェクト部６５にも紙幣の有無を検知するセンサが設けられている。これにより、受入部１１では、紙幣が載置されたことや、全ての紙幣が装置内に繰り出されたことを検知することができる。また、リジェクト部６５では、リジェクト紙幣が集積されたことや、リジェクト紙幣が抜き取られたことを検知することができる。
【００３５】
図３は、貨幣処理装置１の機能構成概略を示すブロック図である。図３に示すように、貨幣処理装置１は、上述した構成に加えて、各部を制御して以下に説明する機能及び動作を実現する制御部５０と、制御部５０の動作に必要なプログラムや設定情報等の各種データを保存するための記憶部５６とを有している。
【００３６】
また、貨幣処理装置１は通信部７４を有し、通信部７４を介して、スマートフォンやタブレット等の携帯端末との間でデータを送受信できるようになっている。例えば、貨幣処理装置１の各集積部６０に集積する紙幣の種類を設定するための集積設定に関する操作を、タッチパネル式の液晶表示部を備える携帯端末上で行って、通信部７４を介して制御部５０へ送信することができる。集積設定に関するデータを受信した制御部５０は、受信した集積設定に基づいて集積部６０の集積設定を変更するが詳細は後述する。
【００３７】
次に、貨幣処理装置１の動作について説明する。図４は、貨幣処理装置１で行われる処理の流れを示すフローチャートである。まず、複数の紙幣を１枚ずつ識別計数して、第１集積部６０ａ〜第８集積部６０ｈに紙幣を種類別に分類して集積する通常モードで紙幣処理を行う（ステップＳ１）。
【００３８】
通常モードの紙幣処理を終えると、制御部５０は、この紙幣処理中に、異なるリジェクト原因によってリジェクトされたリジェクト紙幣があるか否かを判定する（ステップＳ２）。リジェクト部６５に集積されたリジェクト紙幣がない場合、リジェクト紙幣が１枚しかない場合、リジェクト紙幣が複数枚あるが全て同じリジェクト原因でリジェクトされている場合は（ステップＳ２；Ｎｏ）、処理を完了する。なお、リジェクト紙幣が１枚の場合は、このリジェクト紙幣のリジェクト原因が表示部５２に表示される。また、リジェクト紙幣が複数枚あるがリジェクト原因が１つである場合も、同様に、表示部５２にリジェクト原因が表示される。この表示によって、貨幣処理装置１の利用者はリジェクト原因を認識することができる。
【００３９】
リジェクト部６５に、リジェクト原因の異なる複数枚のリジェクト紙幣が集積されている場合には（ステップＳ２；Ｙｅｓ）、制御部５０は、これらのリジェクト紙幣をリジェクト原因別に分類するために、リジェクト紙幣分類モード（リジェクト貨幣分類モード）で紙幣処理を実行するか否かを判定する（ステップＳ３）。
【００４０】
例えば、貨幣処理装置１の利用者が、第１集積部６０ａ〜第８集積部６０ｈに集積されている紙幣を抜き取って集積部６０を空にして、リジェクト部６５に集積されているリジェクト紙幣を受入部１１に載置した後、操作部５１を操作して、リジェクト紙幣分類モードによる紙幣処理の開始を指示すると、制御部５０は、リジェクト紙幣分類処理を実行すると判定する（ステップＳ３；Ｙｅｓ）。
【００４１】
一方、通常モードでの処理を完了してから所定時間を経過しても、利用者が、リジェクト紙幣分類モードによる紙幣処理を指示する所定操作を行わなかった場合には、制御部５０は、リジェクト紙幣分類処理を実行しないと判定して（ステップＳ３；Ｎｏ）、処理を完了する。また、利用者が、操作部５１を操作して、通常モードで別の紙幣処理を開始した場合にも、制御部５０は、リジェクト紙幣分類処理を実行しないと判定して（ステップＳ３；Ｎｏ）、処理を完了するが、この場合は、ステップＳ１に戻って通常モードでの紙幣処理が行われることになる。
【００４２】
ただし、リジェクト紙幣分類モードによる紙幣処理実行の要否判定については、利用者による明示の指示操作に基づいて行う態様に限定されるものではなく、制御部５０が自動的に判定する態様であってもよい。例えば、通常モードの紙幣処理を終えてから所定時間内に、リジェクト部６５からの紙幣の抜き取り、受入部１１への紙幣の載置、通常モードで集積部６０に集積された紙幣の抜き取りが行われ、かつ、紙幣処理を開始して最初に識別した紙幣がリジェクト紙幣であった場合に、これらを検知した制御部５０が、受入部１１に載置された紙幣はリジェクト部６５から抜き取られたものであると推定して、リジェクト紙幣分類処理を実行すると判定する態様であってもよい。また、通常モードの紙幣処理を終えてから所定時間内に、リジェクト部６５からの紙幣の抜き取り、受入部１１への紙幣の載置、通常モードで集積部６０に集積された紙幣の抜き取りが行われたことをもって、利用者にリジェクト紙幣分類モードを実行する意思があるものとみなして、リジェクト紙幣分類処理を実行すると判定する態様でもよい。
【００４３】
リジェクト紙幣分類処理を実行することを認識すると（ステップＳ３；Ｙｅｓ）、制御部５０は、貨幣処理装置１の動作モードを、通常モードからリジェクト紙幣分類モードに切り替えて（ステップＳ４）、各集積部に集積するよう割り当てられている紙幣の種類を変更する（ステップＳ５）。具体的には、通常モードで、リジェクト紙幣を集積する第１リジェクト部６５ａ及び第２リジェクト部６５ｂと、指定された種類の処理対象紙幣を集積する第１集積部６０ａ〜第８集積部６０ｈとで、それぞれに割り当てられた集積対象紙幣の種類を変更する。この変更は、リジェクト部６５及び集積部６０のそれぞれに紙幣の種類を割り当てた集積設定を変更することによって行う。
【００４４】
図５は、通常モードとリジェクト紙幣分類モードとの間で切り替える集積設定の例を示す図である。図５では、通常モードの紙幣処理で、第１集積部６０ａ〜第８集積部６０ｈに、真券かつ正券の紙幣を種類別に分類して集積する場合の設定例を示している。図５では「指定券」とだけ示しているが、実際には、各集積部６０に集積したい紙幣の通貨、金種、新旧、方向等を指定する。具体的には、例えば、真券かつ正券の紙幣を金種別に分類する場合には、各集積部６０に集積する指定券の金種を指定する。
【００４５】
第１リジェクト部６５ａ及び第２リジェクト部６５ｂについても、集積するリジェクト紙幣の種類を割り当てることができる。図５では、通常モードの紙幣処理で、第１リジェクト部６５ａに偽券、サスペクト券及び指定外券を集積して、第２リジェクト部６５ｂに識別不能券を集積する場合の設定例を示している。
【００４６】
指定外券とは、第１集積部６０ａ〜第８集積部６０ｈの集積対象として割り当てられていない種類の正常紙幣、すなわち紙幣処理による処理対象として指定されていない処理対象外紙幣である。具体的には、例えば、１ドル、５ドル、１０ドル、２０ドル、５０ドル、１００ドルの真券かつ正券の米国紙幣を各集積部６０に金種別に分類して集積する設定である場合に、例えば、識別した紙幣の中に米国２ドル紙幣や日本紙幣が混ざっていた場合は、真の紙幣であっても指定外券として第１リジェクト部６５ａにリジェクトされる。また、例えば米国の１ドル紙幣であっても、損券であれば、指定外券として第１リジェクト部６５ａにリジェクトされることになる。
【００４７】
図５に示す通常モードの集積設定で紙幣処理を行った後、制御部５０が、動作モードを通常モードからリジェクト紙幣分類モードに切り替えると、各集積部６０の集積対象が、同図にリジェクト紙幣分類モードとして示す設定内容に変更される。
【００４８】
図５に示すリジェクト紙幣分類モードの集積設定では、通常モードであればリジェクトされる損券のうち、折れ曲がっている紙幣である折れ券が第１集積部６０ａに集積され、テープが貼り付けられている紙幣であるテープ券が第２集積部６０ｂに集積される。また、通常モードであればリジェクトされるサスペクト券のうち、赤外光に関する特性に基づいてサスペクト券とされた紙幣が第３集積部６０ｃに集積され、紫外光に関する特性に基づいてサスペクト券とされた紙幣が第４集積部６０ｄに集積され、磁気特性に基づいてサスペクト券とされた紙幣が第５集積部６０ｅに集積され、長さや厚み等のサイズに基づいてサスペクト券とされた紙幣が第６集積部６０ｆに集積される。また、通常モードであれば記番号の文字認識結果に基づいてリジェクトされる紙幣のうち、記番号の桁数や記番号で利用される文字種が、その紙幣に印刷されているべき記番号の桁数や文字種と一致しない紙幣が第７集積部６０ｇに集積され、文字認識された記番号が、偽券の記番号としてブラックリストに登録されている記番号と一致する紙幣が第８集積部６０ｈに集積される。
【００４９】
また、図５に示すリジェクト紙幣分類モードの集積設定では、通常モードであればリジェクトされる指定外券、及び通常モードで各集積部６０に集積される指定券は、第１リジェクト部６５ａに集積され、識別不能券は第２リジェクト部６５ｂに集積される。
【００５０】
このように、通常モードでは真券かつ正券を集積する第１集積部６０ａ〜第８集積部６０ｈを、リジェクト紙幣分類モードでは、通常モードであればリジェクトされるリジェクト紙幣を集積するために利用する。
【００５１】
なお、図５に示したリジェクト紙幣集積モードの集積設定は一例であって、集積設定がこれに限定されるものではない。例えば、損券をリジェクト原因別に分類する場合に、第１集積部６０ａ〜第３集積部６０ｃを利用して、折れ券と、テープ券と、折れやテープの貼り付けはないが汚れの激しい汚損券との３種類に分類するように設定してもよい。また、例えば、第１集積部６０ａに汚損券及び折れ券を集積して、第２集積部６０ｂにテープ券を集積するというように、１つの集積部６０に複数のリジェクト原因を割り当てて、損券を、汚損券及び折れ券と、テープ券とに分類するように設定してもよい。
【００５２】
制御部５０は、第１集積部６０ａ〜第８集積部６０ｈに設けられている個別表示部６２ａ〜６２ｈに、各集積部６０に割り当てられている紙幣の種類を認識可能な情報を表示する。これにより、動作モードが切り替えられて、各集積部６０に集積される紙幣の種類が変更された場合でも、利用者は、個別表示部６２ａ〜６２ｈの表示に基づいて、各集積部６０に集積されている紙幣の種類を認識できるようになっている。
【００５３】
貨幣処理装置１の動作モードを、通常モードからリジェクト紙幣分類モードに切り替えて（図４ステップＳ４）、リジェクト部６５及び集積部６０に集積する紙幣の種類を割り当てた集積設定を変更した後（ステップＳ５）、制御部５０は、受入部１１に載置されたリジェクト紙幣を分類するリジェクト紙幣分類処理を開始する（ステップＳ６）。具体的には、受入部１１のリジェクト紙幣を取込部１０によって１枚ずつ装置内に取り込んで、搬送部７０によって搬送しながら識別部５５によって識別し、識別結果に基づいて、対応する集積先へ搬送して集積し、処理を完了する。
【００５４】
なお、リジェクト紙幣が、複数のリジェクト原因を有する場合には、制御部５０は、予め設定したリジェクト原因の優先度に基づいて、このリジェクト紙幣の集積先を決定する。優先度の設定は変更可能となっているが、例えば、利用者による目視確認が難しいリジェクト原因を優先するように設定する。
【００５５】
具体的には、例えば、紫外特性や赤外特性に基づいてサスペクト券とするリジェクト原因を、サイズ異常に基づいてサスペクト券とするリジェクト原因や、記番号異常によるリジェクト原因よりも優先するように設定する。なお、このとき、集積されたリジェクト紙幣が複数のリジェクト原因を有することを示す情報を個別表示部６２ａ〜６２ｈに表示させる設定や、複数のリジェクト原因に関する情報を表示部５２に表示させる設定を行うことも可能となっている。
【００５６】
例えば、これらの設定を行って、各集積部６０に集積する紙幣の種類を図５に示すリジェクト紙幣分類モードの集積設定とした状態で処理を開始して、紫外特性による異常と、紙幣の短手長さが異なることによるサイズ異常との２つのリジェクト原因を有するリジェクト紙幣が得られた場合には、紫外特性の異常が優先されて、このリジェクト紙幣は第４集積部６０ｄに集積される。そして、第４集積部６０ｄの個別表示部６２ｄには、紫外特性による異常に加えて、別のリジェクト原因を有するリジェクト紙幣が集積されていることを示す情報が表示される。また、利用者は、表示部５２に表示された情報から、このリジェクト原因が紙幣サイズの異常であることを確認することができる。紙幣サイズの異常は目視確認可能であるため、利用者は、第４集積部６０ｄに集積されているリジェクト紙幣の中から、サイズ異常を有するリジェクト紙幣だけを抜き取って他のリジェクト紙幣と区別して処理することもできる。
【００５７】
貨幣処理装置１で通常モードの紙幣処理を終えた後、利用者は、図５に示す集積設定に基づいて、第２リジェクト部６５ｂに集積されているリジェクト紙幣が識別不能券であることを認識することができるが、第１リジェクト部６５ａに集積されているリジェクト紙幣のそれぞれが、どのようなリジェクト原因によってリジェクトされたのかを認識することは困難である。このような場合に、通常モードの紙幣処理に続いて、第１リジェクト部６５ａから抜き取ったリジェクト紙幣をリジェクト紙幣分類モードで処理することにより、第１集積部６０ａ〜第８集積部６０ｈに、リジェクト原因別に分類して集積することができる。これにより、利用者は、各集積部６０に集積されている紙幣のリジェクト原因を認識することができる。
【００５８】
また、例えば、紙幣処理中に発見された偽券を警察等の所定機関に届け出たり、サスペクト券の分析を中央銀行等の所定機関に依頼したりする場合に、紙幣に関する情報を記載した偽券レポートと呼ばれる書面を添えることがあるが、貨幣処理装置１では、偽券やサスペクト券がリジェクト原因別に分類されるので、偽券レポートを容易に作成することができる。
【００５９】
貨幣処理装置１では、制御部５０が、動作モードに応じて紙幣処理速度を変更するようになっている。具体的には、通常モードでは、紙幣処理を短時間で完了できるように紙幣を高速搬送する。これに対して、リジェクト紙幣分類モードでは、識別部５５による計測、紫外特性や赤外特性の分析、特徴量の抽出等の処理を確実に行えるように、通常モードに比べて低速で紙幣を搬送する。これにより、紙幣が高速搬送される通常モードでは識別不能券としてリジェクトされた紙幣についても、リジェクト紙幣分類モードでは識別できる場合がある。このため、リジェクト紙幣分類モードで紙幣処理を行う際に、第２リジェクト部６５ｂのリジェクト紙幣も抜き取って、第１リジェクト部６５ａのリジェクト紙幣と併せて処理することにより、通常モードで識別不能であった紙幣を含めて、より正確に、紙幣を種類別に分類できる可能性がある。なお、リジェクト紙幣分類モードでの搬送速度を通常モードに比べて低速にすることにより、損券の破損やそれに伴うジャムの発生を抑制することもできる。
【００６０】
通常モードで識別不能券とされたリジェクト紙幣が、リジェクト紙幣分類モードで、通常モードの指定券であるとの識別結果が得られた場合に対応できるように、リジェクト紙幣分類モードでは、通常モードで第１集積部６０ａ〜第８集積部６０ｈに集積する指定券の種類を、第１リジェクト部６５ａに割り当てている。これにより、リジェクト紙幣分類モードで処理を行っている間に、通常モードの指定券、すなわちリジェクト原因のない紙幣が検出された場合でも、これをリジェクト部６５に集積して、リジェクト紙幣を分類する処理を継続することができる。
【００６１】
このように、貨幣処理装置１では、通常モードで、複数の集積部６０に紙幣を種類別に分類して集積する処理を行った後、続いて、リジェクト紙幣分類モードで、通常モードでリジェクトされた紙幣を複数の集積部６０に種類別に分類して集積することができる。
【００６２】
貨幣処理装置１のリジェクト紙幣分類モードでは、図５に示すように、第１集積部６０ａ〜第８集積部６０ｈの全てに、集積対象とする紙幣のリジェクト原因を固定して割り当てる設定の他、一部又は全ての集積部６０の集積対象を動的に決定するように設定することも可能となっている。動的設定とした場合には、先に行われた通常モードで発生したリジェクト紙幣のリジェクト原因に基づいて、第１集積部６０ａ〜第８集積部６０ｈへのリジェクト原因の割り当てが行われる。
【００６３】
図６は、動的設定を利用するリジェクト紙幣分類モードについて説明するための図である。図６（ａ）は、動的設定の設定例を示す図であり、同図（ｂ）〜（ｄ）は動的設定に基づいて各集積部６０に割り当てられたリジェクト原因の例を示す図である。
【００６４】
図６（ａ）に示す動的設定は、直前に行われた通常モードの紙幣処理で、第１集積部６０ａ〜第８集積部６０ｈに集積するよう設定されていた通常モードの指定券を、第１リジェクト部６５ａに集積して、識別不能券を第２リジェクト部６５ｂに集積する設定例を示している。また、第１集積部６０ａ〜第８集積部６０ｈについては、通常モードで発生したリジェクト紙幣のリジェクト原因に基づいて、リジェクト原因を自動的に割り当てる動的設定とした設定例を示している。
【００６５】
例えば、図５に示す通常モードの設定で紙幣処理を行った結果、第１リジェクト部６５ａに、折れ券と、指定外券と、磁気特性に基づいて偽券の疑いがあると判定されたサスペクト券と、紙幣の所定領域（第１領域）における紫外特性に基づいて偽券の疑いがあると判定されたサスペクト券と、このサスペクト券とは異なる所定領域（第２領域）における紫外特性に基づいて偽券の疑いがあると判定されたサスペクト券とが発生したものとする。
【００６６】
この場合、図６（ａ）に示す集積設定に基づいて、同図（ｂ）に示すように、これら５種類のリジェクト原因が、それぞれ第１集積部６０ａ〜第５集積部６０ｅに自動的に割り当てられる。これにより、通常モードでの紙幣処理を終えた後、第１リジェクト部６５ａに集積されている全てのリジェクト紙幣を受入部１１に載置して、リジェクト紙幣分類モードで処理を開始するだけで、第１集積部６０ａ〜第５集積部６０ｅに、リジェクト原因別にリジェクト紙幣を分類して集積することができる。
【００６７】
なお、通常モードで識別不能券として第２リジェクト部６５ｂに集積されたリジェクト紙幣をリジェクト紙幣分類モードで処理した結果、通常モードの指定券であるとの識別結果が得られた場合には、図６（ａ）に示す集積設定に基づいて、制御部５０は、この紙幣を第１リジェクト部６５ａに集積する。また、通常モードで発生した５種類のリジェクト原因とは異なるリジェクト原因を有しているとの識別結果が得られた場合には、制御部５０は、このリジェクト原因を第６集積部６０ｆに割り当てて紙幣を集積する。また、リジェクト紙幣分類モードでも識別できなかった識別不能券は、第２リジェクト部６５ｂに集積される。
【００６８】
貨幣処理装置１では、動的設定によって集積部６０にリジェクト原因を割り当てる際に、リジェクト原因と共に、金種や正損等の紙幣の種類を割り当てるように設定することができる。
【００６９】
具体的には、例えば、第１金種の紙幣では、第１領域の紫外特性及び第２領域の紫外特性に基づいて真偽を判定し、第２金種の紙幣についても同様に第１領域の紫外特性及び第２領域の紫外特性に基づいて真偽を判定するものとする。このような場合に、紫外特性に関して集積部６０に割当可能なリジェクト原因として、第１領域の紫外特性に異常がある第１金種のサスペクト券、第１領域の紫外特性に異常がある第２金種のサスペクト券、第２領域の紫外特性に異常がある第１金種のサスペクト券、第２領域の紫外特性に異常がある第２金種のサスペクト券というように、第１領域及び第２領域の紫外特性に関するリジェクト原因を金種別に割り当てられるように設定しておく。
【００７０】
この状態で、例えば、図５に示す通常モードの設定で紙幣処理を行った結果、折れ券と、指定外券と、磁気特性に基づいて偽券の疑いがあると判定されたサスペクト券と、第１領域の紫外特性に基づいて偽券の疑いがあると判定された第１金種のサスペクト券と、第１領域の紫外特性に基づいて偽券の疑いがあると判定された第２金種のサスペクト券の５種類のリジェクト紙幣が発生したものとする。
【００７１】
この場合、紫外特性に基づくサスペクト券を、図６（ｂ）に示すように紫外特性の異常を示した領域別に分類すると、第４集積部６０ｄのみに紙幣が集積されて、第５集積部６０ｅには紙幣は集積されないことになるが、事前に、紫外特性に関するサスペクト券のリジェクト原因を金種別に割り当てる設定としておくことで、同図（ｃ）に示すように、第４集積部６０ｄ及び第５集積部６０ｅのようにサスペクト券を金種別に分類することができる。
【００７２】
同様に、集積部６０に割当可能なリジェクト原因を紙幣の種類と合わせて事前に設定しておくことにより、例えば、紫外特性に異常がありかつ偽券である確率が９０％以上の紙幣と、紫外特性に異常がありかつ偽券である確率が９０％未満の紙幣というように、リジェクト原因に加えて偽券である確率に基づいてリジェクト紙幣を分類することができる。また、例えば、紫外特性に異常があり、かつ、偽券である確率が９０％以上であり、かつ第１金種の紙幣であるというように、リジェクト原因に加えて、偽券である確率及び金種に基づいてリジェクト紙幣を分類することも可能である。
【００７３】
このように、リジェクト紙幣分類モードで、動的設定により集積部６０に割り当てるリジェクト原因を決定する場合に、集積部６０に割当可能な紙幣の種類を、リジェクト原因を含む形で予め設定しておくことにより、リジェクト紙幣をリジェクト原因別に分類するだけではなく、リジェクト原因別かつ紙幣の種類別に分類することができる。
【００７４】
なお、このとき、集積部６０に割当可能なリジェクト紙幣の種類に優先順位を設定して、例えば、通常は、優先度の高い種類のみを集積部６０に割り当てて、さらに集積部６０を利用可能である場合には、優先度の低い種類まで展開して細かく分類するように設定することもできる。
【００７５】
例えば、図６（ｃ）の例では、紫外特性に基づくサスペクト券を金種別に分類する例を示しているが、リジェクト紙幣の分類に利用可能な集積部６０ｆ〜６０ｈが残っているため、リジェクト紙幣の種類に応じて、さらに紫外特性の異常を示す領域別に分類するように設定することができる。具体的には、図６（ｄ）に示すように、第４集積部６０ｄには第１領域の紫外特性が異常を示した第１金種のサスペクト券を割り当てて、第５集積部６０ｅには第１領域の紫外特性が異常を示した第２金種のサスペクト券を割り当てて、第６集積部６０ｆには第２領域の紫外特性が異常を示した第１金種の紙幣を割り当てて、第７集積部６０ｇには第２領域の紫外特性が異常を示した第２金種の紙幣を割り当てるというように、紫外特性に関するリジェクト原因をさらに細かく分けて割り当てるようにしてもよい。
【００７６】
また、貨幣処理装置１では、リジェクト紙幣分類モードの動的設定で、第１集積部６０ａ〜第８集積部６０ｈにリジェクト原因を割り当てる際の順序については、リジェクト紙幣の枚数に基づいて設定できるようになっている。例えば、第１集積部６０ａに集積されるリジェクト紙幣の枚数が最も多く、次に第２集積部６０ｂに集積されるリジェクト紙幣が多いというように、第８集積部６０ｈへ向けて集積枚数が少なくなるように、リジェクト原因を割り当てる。利用者は、通常、第１集積部６０ａの近くで貨幣処理装置１を操作しているので、このように第１集積部６０ａに多くのリジェクト紙幣が集積されるように設定することで、処理完了後の紙幣の抜き取り等、後処理を容易に行うことができる。
【００７７】
また、貨幣処理装置１では、リジェクト紙幣分類モードによる処理結果を、通常モードの処理結果に反映させることも可能となっている。例えば、図５に示す通常モードの設定で真券かつ正券の紙幣を金種別に分類して計数する紙幣処理を行った後、図６（ａ）に示すリジェクト紙幣分類モードの設定でリジェクト紙幣をリジェクト原因別に分類する紙幣処理を行った結果、図６（ｂ）に示すようにリジェクト原因別に分類されたものとする。リジェクト紙幣分類モードの処理を終えると、表示部５２には、リジェクト部６５及び集積部６０のそれぞれに集積された紙幣に関する情報が表示される。利用者が、表示部５２に表示された情報を確認して、第１集積部６０ａに集積された損券の金種及び金額、及び第１リジェクト部６５ａに集積された通常モードの指定券の金種及び金額は、先に行った通常モードの識別計数結果に反映させるべき内容であると判断すると、操作部５１で、第１リジェクト部６５ａ及び第１集積部６０ａを指定する操作を行う。これを受けた制御部５０は、利用者が指定した第１集積部６０ａ及び第１リジェクト部６５ａに集積されている紙幣の金種及び金額を、記憶部５６に記録されている通常モードの識別計数結果に加算して更新する。このように、貨幣処理装置１では、通常モードに続いてリジェクト紙幣分類モードで処理を行った後、リジェクト部６５又は集積部６０を指定すると、指定したリジェクト部６５又は集積部６０に集積されている紙幣の金種及び金額を、通常モードで得られた識別計数結果に反映させることができる。
【００７８】
貨幣処理装置１では、集積部６０へ集積対象とする紙幣の種類を割り当てる割当操作を、タッチパネル式の液晶表示部を備える携帯端末上で行えるようになっている。図７は、携帯端末で通常モードの集積設定を行う際に表示される画面例を示す図である。
【００７９】
図７に示すように、画面上には、貨幣処理装置１の外観図が表示される。また、紙幣の種類を割り当てるリジェクト部６５及び集積部６０には、これらを区別するための名称を示す文字が表示される。具体的には、第１リジェクト部６５ａには「ＲＪ１」、第２リジェクト部６５ｂには「ＲＪ２」、第１集積部６０ａ〜第８集積部６０ｈにはそれぞれ、「ＳＴＲ１」〜「ＳＴＲ８」の文字が表示される。
【００８０】
また、貨幣処理装置１の外観図の右上にはリジェクト部６５に割り当てることを想定したリジェクト紙幣の種類を示すアイコンが表示され、外観図の左下には集積部６０に割り当てることを想定した紙幣の種類を示すアイコンが表示される。図７及び図８では、割当可能な金種が＄１、＄５、＄１０、＄２０、＄５０、＄１００の米国金種であり、正損設定がＡＴＭフィットの正券（図面上「ＡＴＭ」）、テラーフィットの正券（図面上「ＴＬＲ」）及び損券（画面上「ＵＮＦＩＴ」）である例を示している。また、割当可能な紙幣の方向設定が、表面（図面上「ＵＰ」）、裏面（図面上「ＤＯＷＮ」）、Ａ方向、Ｂ方向、Ｃ方向及びＤ方向（図面上「Ａ」〜「Ｄ」）である例を示している。また、割当可能な紙幣の新旧設定が、現在流通している紙幣（図面上「ＮＥＷ」）と、旧版の紙幣（図面上「ＯＬＤ」）である例を示している。なお、表面とは肖像画が印刷されている面を示す。また、Ａ方向とは表面が上方を向き肖像画の上方が搬送方向と一致する紙幣の向きを示し、Ｂ方向とは表面が上方を向き肖像画の下方が搬送方向と一致する紙幣の向きを示し、Ｃ方向とは裏面が上方を向き肖像画の上方が搬送方向と一致する紙幣の向きを示し、Ｄ方向とは裏面が上方を向き肖像画の下方が搬送方向と一致する紙幣の向きを示している。
【００８１】
この画面上で、紙幣の種類を示すアイコンを選択して、割り当てたい集積部６０又はリジェクト部６５へドラッグ＆ドロップする操作を行うことにより、アイコンが示す紙幣の種類を割り当てることができる。図７の例は、「＄２０」のアイコン及び「ＴＬＲ」のアイコンを「ＳＴＲ１」と表示された外観図の第１集積部６０ａにドラッグ＆ドロップして、第１集積部６０ａに集積する紙幣の種類をテラーフィットの＄２０紙幣と設定した状態を示している。同様に、「識別不能券」のアイコンを「ＲＪ２」と表示された外観図の第２リジェクト部６５ｂにドラッグ＆ドロップして、第２リジェクト部６５ｂに集積するリジェクト紙幣を識別不能券と設定した状態を示している。
【００８２】
なお、画面上に表示されていない紙幣の種類を割り当てたい場合には、画面下部にある「その他」のボタンを押して（タップして）、紙幣の種類を呼び出して、割り当てることができる。具体的には、「その他」のボタンを押すと、貨幣処理装置１で利用可能な他の種類のアイコンを含む、小さいウィンドウ画面が画面上に表示される。この小ウィンドウ内で、割り当てたい種類のアイコンを選択して、割り当てたい集積部６０又はリジェクト部６５へドラッグ＆ドロップすることにより、紙幣の種類の割り当てを行うことができる。
【００８３】
また、画面上で集積部６０及びリジェクト部６５の中から２つを選択して、設定を入れ替えることもできる。例えば、図７に示す画面上で、第１集積部６０ａと第２集積部６０ｂとの間で設定を入れ替えたい場合に、第１集積部６０ａを示す「ＳＴＲ１」の表示を長押しすると、第１集積部６０ａが選択状態となり、第１集積部６０ａに割り当てられている全てのアイコンが点滅する。次に、第１集積部６０ａの長押しをやめて、第２集積部６０ｂを示す「ＳＴＲ２」の表示を長押しして、同様に第２集積部６０ｂが選択状態となってアイコンが点滅を開始した後、指を離すと、第１集積部６０ａの割当設定と第２集積部６０ｂの割当設定とが入れ替わり、画面上で、第１集積部６０ａのアイコンが第２集積部６０ｂへ移動し、第２集積部６０ｂのアイコンが第１集積部６０ａへ移動する。このように、画面上で、集積設定を入れ替えたい２箇所を順に長押しするだけで、設定を容易に入れ替えることができる。設定入替の操作は、この他、入れ替えの対象とする２箇所を同時に長押しすることによって行うこともできる。
【００８４】
なお、集積部６０及びリジェクト部６５に割り当てた紙幣の種類を削除したい場合には、削除したいアイコンを画面上の外観図の外側へドラッグしたり、装置外へフリックしたりすることによりアイコンを削除することができる。
【００８５】
図７に示すように貨幣処理装置１の外観図を見ながら割り当て操作を行う他、リジェクト部６５及び集積部６０を示す一覧表を見ながら、操作を行うこともできる。図８は、集積設定を行う際に一覧表の画面例を示す図である。図７に示す画面で、画面右下の「一覧表」のボタンを押すと、図８に示す画面が表示される。
【００８６】
図８に示す一覧表画面でも、図７の場合と同様に、紙幣の種類を示すアイコンを、この種類を割り当てたいリジェクト部６５又は集積部６０にドラッグ＆ドロップして割当操作を行うことができる。また、一覧表画面でも、集積部６０及びリジェクト部６５の中から２つを選択して、それぞれの割当設定を入れ替えることができる。また、集積部６０及びリジェクト部６５に割り当てた紙幣の種類を削除することもできる。図８に示す画面で、画面右下の「装置図」のボタンを押すと、図７に示す画面に戻ることができる。
【００８７】
図７及び図８に示す画面の右下には、画面上で行った設定操作をキャンセルするためのキャンセルボタン、貨幣処理装置１の現在の集積設定を呼び出す呼出ボタン、画面上で設定した集積設定を貨幣処理装置１へ転送する転送ボタン、携帯端末に保存されている集積設定を開いて画面上に表示するためのボタン（画面上「開く」）、画面上で設定した集積設定を携帯端末内の記憶部に保存する保存ボタンが表示されている。呼出ボタンを押すと、貨幣処理装置１の通信部７４を介して、携帯端末と制御部５０との間で通信が行われ、貨幣処理装置１に現在設定されているリジェクト部６５及び集積部６０の集積設定を携帯端末上に取得して表示することができる。また、転送ボタンを押すと、同様に、携帯端末と貨幣処理装置１の制御部５０との間で通信部７４を介した通信が行われ、携帯端末で設定したリジェクト部６５及び集積部６０の集積設定を貨幣処理装置１に転送することができる。集積設定が転送されると、貨幣処理装置１では、制御部５０が、リジェクト部６５及び集積部６０の集積設定を、携帯端末で設定した集積設定の通りに変更する。
【００８８】
貨幣処理装置１では、リジェクト紙幣分類モードでも、通常モードの場合と同様に、携帯端末の画面上で、リジェクト部６５及び集積部６０に集積する紙幣の種類の割当操作を行うことができる。
【００８９】
図９は、携帯端末でリジェクト紙幣分類モードの集積設定を行う際に携帯端末に表示される画面例を示す図である。図９に示すように、リジェクト紙幣分類モードでリジェクト部６５に割り当てることを想定した紙幣の種類を示すアイコンが外観図の右上に表示され、集積部６０に割り当てることを想定したリジェクト原因が外観図の左下に表示される。
【００９０】
図９に示す画面は、図５に示すリジェクト紙幣分類モードの集積設定を表示した画面例を示している。図７の場合と同様に、画面上で、割り当てたいリジェクト原因のアイコンを選択して集積部６０へドラッグ＆ドロップすることにより、各集積部６０へリジェクト原因を割り当てることができる。また、この画面で、動的設定用のアイコン（画面上「（動的）」）を集積部６０へドラッグ＆ドロップすることにより、図６で示したように、通常モードで発生したリジェクト原因に応じてリジェクト原因を自動的に割り当てる動的設定とすることができる。
【００９１】
また、画面下部の「詳細設定」のボタンを押して詳細設定用の画面を呼び出すことにより、上述したように、リジェクト紙幣が複数のリジェクト原因を有する場合に集積先を決定するためにリジェクト原因に優先度を設定したり、動的設定で割り当て可能な紙幣の種類を設定したり、割り当てる紙幣の種類に優先度を設定したりすることができる。
【００９２】
なお、画面上には、よく利用される紙幣の種類及びリジェクト原因のアイコンのみが表示されるが、通常モードの場合と同様に、画面下部の「その他」のボタンを押して、他の紙幣の種類やリジェクト原因を呼び出してリジェクト部６５や集積部６０に割り当てることができる。また、図９に示す画面で「一覧表」のボタンを押すことにより、通常モードの図８と同様に、リジェクト部６５及び集積部６０を一覧表示にして割当操作を行うことができる。また、通常モードの場合と同様に、集積部６０及びリジェクト部６５の中から２つを選択して割当設定を入れ替えたり、割り当てたアイコンを削除したりすることもできる。
【００９３】
本実施形態では、リジェクト紙幣をリジェクト原因別に分類するリジェクト紙幣分類モードで、通常モードより搬送速度を遅くする例を示したが、貨幣処理装置１では、この他にも、紙幣の種類や紙幣処理内容が所定条件を満たす場合に、自動的に搬送速度を変更するように設定することもできる。
【００９４】
例えば、紙幣が高額金種である場合には、高精度に識別できるように、低額金種の紙幣に比べて搬送速度を落とすことができる。例えば、紙幣処理を開始して最初に得られた１枚目の紙幣の識別結果に基づいて、続いて処理される紙幣が高額金種の紙幣であるか低額紙幣の金種であるかを判定して、判定結果に応じて搬送速度を変更するように設定することができる。この他にも、例えば、紙幣処理を開始して、所定枚数の紙幣が連続して高額金種の紙幣であれば搬送速度を低速に切り替えて、所定枚数の紙幣が連続して低額金種の紙幣であれば搬送速度を高速に切り替えるように設定することができる。また、例えば、集積部６０の集積設定に基づいて、所定数以上の集積部６０に高額金種の紙幣が割り当てられていれば搬送速度を低速にして、高額金種の紙幣が割り当てられた集積部６０の数が所定数に満たない場合には高速にするように設定することができる。また、例えば、貨幣処理装置１が、紙幣処理に関する情報を取得して、高額金種の紙幣が多く含まれるデパート等の店舗から回収した紙幣を処理する紙幣処理では搬送速度を低速にして、低額金種の紙幣が多く含まれるコンビニエンスストア等の店舗から回収した紙幣を処理する紙幣処理では搬送速度を高速にするように設定することもできる。紙幣処理で処理される紙幣がどのような店舗の紙幣であるかについては、例えば、利用者ＩＤと店舗情報とを関連付けて記憶部５６で管理しておいて、貨幣処理装置１で紙幣処理を開始した利用者ＩＤに基づいて店舗情報を参照して判定する態様であってもよいし、事前に店舗情報を示す情報の入力を求めて、操作部５１を操作して入力された店舗情報に基づいて判定する態様であってもよい。なお、高額金種と低額金種の区別は事前に設定できるようになっている。
【００９５】
なお、紙幣の搬送速度の制御については、高額金種の紙幣の搬送速度を低速にして、低額金種の紙幣の搬送速度を高速にする態様に限定されるものではなく、これとは逆に、低額金種の紙幣の搬送速度を低速にして、高額金種の紙幣の搬送速度を高速にする態様であってもよい。低額金種の紙幣は広く流通しており高額金種の紙幣に比べて損傷度合いが激しい紙幣が多いため、これを高速搬送すると、搬送の途中で破損しやすく、ジャムの原因にもなりやすい。このため、低額金種の紙幣を低速で搬送するようにすれば、破損やジャムの発生を抑制することができる。
【００９６】
また、本実施形態では、貨幣処理装置１が２つのリジェクト部６５ａ、６５ｂを有する場合を示したが、上述した２つのリジェクト部６５ａ、６５ｂに集積する紙幣を１箇所に集積することにより、リジェクト部６５が１つしかない場合でも同様に動作することができる。また、本実施形態で示した、紙幣の種類及びリジェクト原因は例示であって、リジェクト部６５及び集積部６０に割り当てる紙幣の種類は、識別部５５による識別結果に基づいて特定可能な種類であれば、特に限定されない。
【００９７】
また、本実施形態では、携帯端末の画面上で紙幣の種類を示すアイコンを操作しながら集積設定を行う例を示したが、集積設定の操作方法がこれに限定されるものではない。例えば、貨幣処理装置１がタッチパネル式の液晶表示部を備え、これを利用して、図７〜図９を参照しながら説明したように集積設定を行う態様であってもよい。
【００９８】
上述してきたように、本実施形態に係る貨幣処理装置１によれば、通常モードで紙幣処理を行った後、続いて、リジェクト紙幣分類モードで紙幣処理を行うことにより、通常モードの紙幣処理でリジェクトされたリジェクト紙幣をリジェクト原因別に分類することができる。
【００９９】
通常モードでは、リジェクト部６５にリジェクト紙幣をリジェクトしながら、複数の集積部６０に、集積対象として指定した指定券を種類別に分類して集積する。そして、リジェクト紙幣分類モードでは、通常モードで指定券の集積に利用した集積部６０を利用して、通常モードでリジェクトされたリジェクト紙幣をリジェクト原因別に分類する。通常モードで指定券の分類に利用する多数の集積部６０を、リジェクト紙幣分類モードではリジェクト紙幣の分類に利用することにより、リジェクト紙幣が様々なリジェクト原因によってリジェクトされている場合でも、リジェクト原因別に分類することができる。また、リジェクト紙幣分類モードで処理を行っている間に、通常モードの指定券が得られた場合には、この指定券をリジェクト部６５に集積することにより、リジェクト紙幣分類処理を停止することなく継続して行うことができる。
【０１００】
また、貨幣処理装置１では、通常モードでリジェクトされたリジェクト紙幣のリジェクト原因に基づいて、各集積部６０に割り当てるリジェクト原因を自動的に割り当てることができるので、各集積部６０に、リジェクト紙幣の分類に必要なリジェクト原因のみを割り当てて、効率よくリジェクト紙幣分類処理を行うことができる。
【産業上の利用可能性】
【０１０１】
以上のように、本発明に係る貨幣処理装置は、貨幣処理時に発生したリジェクト貨幣を、リジェクト原因別に効率よく分類するために有用である。
【符号の説明】
【０１０２】
１  貨幣処理装置
１０  取込部
１１  受入部
５０  制御部
５１  操作部
５２  表示部
５５  識別部
５６  記憶部
６０、６０ａ〜６０ｈ  集積部
６２ａ〜６２ｈ  個別表示部
６５、６５ａ、６５ｂ  リジェクト部
７０  搬送部
７１  分岐部材
７２、７３  センサ
７４  通信部
【図１】
2017016203.tif 000003
【図２】
2017016203.tif 000004
【図３】
2017016203.tif 000005
【図４】
2017016203.tif 000006
【図５】
2017016203.tif 000007
【図６】
2017016203.tif 000008
【図７】
2017016203.tif 000009
【図８】
2017016203.tif 000010
【図９】
2017016203.tif 000011